(57)【要約】【課題】香気の改善されたサフラン酸エチルを含有する香料素材および香料組成物を提供すること。【解決手段】エチル ２，６，６−トリメチルシクロヘキサ−２，４−ジエン−１−カルボキシレートの含有量を８質量％以下とすることにより、異なるタイプの香料処方に使用できる香料素材および香料組成物を得る。【選択図】なし【特許請求の範囲】
【請求項１】
エチル ２，６，６−トリメチルシクロヘキサ−２，４−ジエン−１−カルボキシレート、エチル ２，６，６−トリメチルシクロヘキサ−１，３−ジエン−１−カルボキシレートおよび エチル ６，６−ジメチル−２−メチレンシクロヘク−３−エン−１−カルボキシレートから選ばれる１種または２種以上からなり、エチル ２，６，６−トリメチルシクロヘキサ−２，４−ジエン−１−カルボキシレートの含有量が８質量％以下であることを特徴とする香料素材。
【請求項２】
エチル ２，６，６−トリメチルシクロヘキサ−１，３−ジエン−１−カルボキシレートを７５質量％以上含有する請求項１記載の香料素材。
【請求項３】
エチル ６，６−ジメチル−２−メチレンシクロヘク−３−エン−１−カルボキシレートを７５質量％以上含有する請求項１記載の香料素材。
【請求項４】
請求項１〜請求項３記載の香料素材を含有することを特徴とする香料組成物。
【発明の詳細な説明】
【技術分野】
【０００１】
本発明は、香気の改善されたサフラン酸エチルを含有する香料素材及び香料組成物に関する。
【背景技術】
【０００２】
サフラン酸エチルは、一般にはエチルサフラネートとも呼ばれるが、エチルサフラネートは元々は、クエスト社（現在はジボダン）の商品名であった。また、サフラン酸エチルは香料化合物であるダマセノンの合成中間体として有用な物質として知られている（特許文献１）。
【０００３】
ダマセノンおよび構造類似のダマスコンは、ジャスミン、ミュゲ（すずらん）とともに三大花香の一つであるローズの重要な香料素材であり、非常に高価で貴重なローズの花精油の代用として用いられるほか、ローズ以外の調合香料を変調、増強する香料として広く使用されている。しかしながら、合成香料の中ではダマセノンおよび構造類似のダマスコンは高価な部類に属する。
【０００４】
近年、サフラン酸エチルは、香料としても、より安価な点が評価され、ダマセノン、ダマスコンの代用、あるいは補完目的で、あるいは、ローズ系のフローラルおよびフルーティー、ハーバル、ウッディー調香料に少量用いてモダンでリッチな感じを与える香調（非特許文献１）を生かして使用されるようになった。
【０００５】
サフラン酸エチルは通常、３種の異性体混合物であり、β−体であるエチル ２，６，６−トリメチルシクロヘキサ−１，３−ジエン−１−カルボキシレートを主成分とし、他にα−体である、エチル ２，６，６−トリメチルシクロヘキサ−２，４−ジエン−１−カルボキシレート、および、γ−体であるエチル ６，６−ジメチル−２−メチレンシクロヘク−３−エン−１−カルボキシレートが含まれている（特許文献２）。
【０００６】
上記の特許文献２は、サフラン酸エステルおよび類似構造を有するエステル類の１種もしくはそれ以上を必要に応じて１種若しくはそれ以上のダマスコン（ダマスセノン）およびその同族体の有効量と組合わせて、含有する香料または香料組成物の提案であり、サフラン酸エチルの３つの異性体の香気の記載がある。
【０００７】
具体的な記述は次の通りであり、「本発明の化合物は極めて有用な感覚的性質を有することが判った。それらの香味および芳香特性には僅かの相違があるが、異性体混合物は本発明の目的にそのまま使用しうるので、必ずしも異性体を分離する必要はない、異性体は近縁の香気を有しており、それは、香料および香料専門家によって示された次の香気の表現から知ることができる。サフラニン酸エチル（混合物、α：β：γ＝２０：６０：２０）、この混合物の主な印象は風味植物風、スパイス風（ローズマリースパイク、ローレル）および果物風（りんご、すもも）と記述することができ、ばらおよび木材の潜在的調子を有する。α−サフラニン酸エチルは３種の異性体の混合物におけるよりも木材イオノン風の潜在的調子が若干強い。β−サフラニン酸エチルは、３種混合物と極めて類似しているが、風味植物風およびスパイス風特性がより顕著である。γ−サフラニン酸エチルは、より強い果物風特性（りんご、すもも）を識別することができるが、３種異性体の混合物との差は少ない。」である。
【０００８】
したがって、特許文献２は３種の異性体の香気について言及しているものの、３種の異性体と混合物との差は少ないと結論づけている。また、その主眼は果物風（りんご、すもも）の香気の利用である。しかしながら、比較を行った３種の異性体の純度については記載がなく、更に詳細な香気の比較を行っていない。
【０００９】
また、別の提案として、γ−ダマセノンの製造方法（特許文献３）には、γ−ダマセノンの合成経路の１中間体としてのγ−サフラン酸エステルおよび該化合物が新しい単品として価値あるものであることの記載があるが、香気についての記述はない。
【００１０】
また、非特許文献１には、エチルサフラネートの性状および用途に関する記載があり、β−体の構造が示されているが、主成分であるβ−体の構造を記載したものであり、実際の市販品は異性体混合物である。また、３種の異性体の香気の特徴およびこれらを比較した記載もない。
【００１１】
すなわち、これまで、サフラン酸エチルの３種異性体を高純度で調製し、その香気および可能性を詳細に検討した提案はなく、サフラン酸エチルの香料素材としての可能性を十分発揮させる提案もなかった。したがって、サフラン酸エチルの持つ香気特性を生かし、さらに応用範囲を拡げるための提案が求められていた。
【先行技術文献】
【特許文献】
【００１２】
【特許文献１】特開昭５０−４９２５８号公報
【特許文献２】特開昭５０−１１７９４６号公報
【特許文献３】特開昭５６−１２８７２７号公報
【非特許文献】
【００１３】
【非特許文献１】「合成香料」化学と商品知識：初版、ｐ８３８、化学工業日報社
【発明の概要】
【発明が解決しようとする課題】
【００１４】
本発明は、香気の改善されたサフラン酸エチルを含有する香料素材および香料組成物に関する。
【課題を解決するための手段】
【００１５】
本発明者らは、サフラン酸エチルの合成および分離精製により、サフラン酸エチルのα−体である式（１）、
【００１６】
【化１】
2010209185.tif 000002
【００１７】
のエチル ２，６，６−トリメチルシクロヘキサ−２，４−ジエン−１−カルボキシレート、
β−体である式（２）、
【００１８】
【化２】
2010209185.tif 000003
【００１９】
のエチル ２，６，６−トリメチルシクロヘキサ−１，３−ジエン−１−カルボキシレート、および、
γ−体である式（３）、
【００２０】
【化３】
2010209185.tif 000004
【００２１】
のエチル ６，６−ジメチル−２−メチレンシクロヘク−３−エン−１−カルボキシレートを純度９８％以上の高純度品として調製するとともに、３種の異性体高純度品の２種または３種混合物を調製し、その香気的特徴を詳細に比較した。
【００２２】
その結果、まず、サフラン酸エチルの異性体のうち、α−体が枯れ草的なハーバル感が強過ぎ、甘さがなく、β−体、γ−体とは明らかに異質の香気を有し、ローズ様の香気あるいはダマセノンの香気との調和を妨げることを突き止めた。また、残りの２つの異性体のうちβ−体が異性体中で最もローズ様、ダマセノン様の香気が強く、艶のあるローズ様香気を有すること、および、γ−体は強さには欠けるが丸みがあり、蜜を想起させる甘さがあり、洗練されたローズ様の香気を有することを明らかにした。
【００２３】
したがって、α−体の含有率を下げることにより、ローズ様あるいはダマセノン様の香気の質を顕著に改善できることを確認した。
【００２４】
検討の結果、α−体のサフラン酸エチルの含有率を８質量％以下とすることにより混合物を、その香気が調和のとれた、異なるタイプの香料処方に使用できる香気特性とすることができ、８質量％を超える含有率の場合に比べ、ローズ様、フローラル様あるいはダマセノン様の香気を増加させる効果が高まることを見出し、本発明を完成させた。
【００２５】
かくして、本発明は、エチル ２，６，６−トリメチルシクロヘキサ−２，４−ジエン−１−カルボキシレート、エチル ２，６，６−トリメチルシクロヘキサ−１，３−ジエン−１−カルボキシレートおよび エチル ６，６−ジメチル−２−メチレンシクロヘク−３−エン−１−カルボキシレートから選ばれる１種または２種以上からなり、エチル ２，６，６−トリメチルシクロヘキサ−２，４−ジエン−１−カルボキシレートの含有量が８質量％以下であることを特徴とする香料素材を提供するものである。
【００２６】
また、本発明は、エチル ２，６，６−トリメチルシクロヘキサ−１，３−ジエン−１−カルボキシレートを７５質量％以上含有する前記の香料素材を提供するものである。
【００２７】
また、本発明は、エチル ６，６−ジメチル−２−メチレンシクロヘク−３−エン−１−カルボキシレートを７５質量％以上含有する前記の香料素材を提供するものである。
【００２８】
さらに、本発明は、前記の香料素材を含有することを特徴とする香料組成物を提供するものである。
【発明の効果】
【００２９】
本発明によれば、エチル ２，６，６−トリメチルシクロヘキサ−２，４−ジエン−１−カルボキシレートの含有率を８質量％以下とすることにより、サフラン酸エチルの香気特性を顕著に改善し、異なるタイプの香料処方に使用できる良好な香気を有する香料素材を提供できる。さらに、本発明の香料素材を香粧品、保健・衛生・医薬品に添加することによりローズ様あるいはダマセノンの香気を顕著に増加させることが出来る。
【図面の簡単な説明】
【００３０】
【図１】図１はサフラン酸エチル（α−体）のガスクロマトグラフ（比較品１）
【図２】図２はサフラン酸エチル（α−体）のプロトンＮＭＲ（比較品１）
【図３】図３はサフラン酸エチル（α−体）のカーボンＮＭＲ（比較品１）
【図４】図４はサフラン酸エチル（β−体）のガスクロマトグラフ（本発明品１）
【図５】図５はサフラン酸エチル（β−体）のプロトンＮＭＲ（本発明品１）
【図６】図６はサフラン酸エチル（β−体）のカーボンＮＭＲ（本発明品１）
【図７】図７はサフラン酸エチル（γ−体）のガスクロマトグラフ（本発明品１）
【図８】図８はサフラン酸エチル（γ−体）のプロトンＮＭＲ（本発明品１）
【図９】図９はサフラン酸エチル（γ−体）のカーボンＮＭＲ（本発明品１）
【発明を実施するための形態】
【００３１】
以下、本発明についてさらに詳細に説明する。  
本発明の方法において原料で使用しうるサフラン酸エチルは、一般的な方法にしたがって合成されたものまたは市販品を、蒸留、カラムクロマトグラフィーその他通常の分離技術を用いて、α−体である、エチル ２，６，６−トリメチルシクロヘキサ−２，４−ジエン−１−カルボキシレートの含有量を８質量％以下としたもの、好ましくは４質量％以下、より好ましくは２質量％以下のものを使用することができる。例えば、特公昭５７−２８６８４記載の合成法に従って調製した、α−体、２３質量％、β−体、５３質量％、γ−体、２４質量％含有するサフラン酸エチルおよびこれを蒸留することにより得られる、α−体が８質量％以下のサフラン酸エチルを用いることができる。
【００３２】
このとき同時に得られるβ−体含有率の低いフラクションについては、Ｈｅｌｖｅｔｉｃａ Ｃｈｉｍｉｃａ Ａｃｔａ （１９７１）、５４（７）、ｐ１７６７〜１７７６に記されているに、ｐ−トルエンスルホン酸などの存在下に加熱することにより、蒸留前のサフラン酸エチル（α−体、２３質量％、β−体、５３質量％、γ−体、２４質量％）とほぼ同様の異性体比に異性化させることができた。この異性化させたフラクションは蒸留によりリサイクルできる。
【００３３】
α−体であるエチル ２，６，６−トリメチルシクロヘキサ−２，４−ジエン−１−カルボキシレートの含有量を８％以下とする理由は、該化合物が枯れ草的なハーバル感が強過ぎ、甘さがなく、β−体、γ−体とは明らかに異質の香気を有し、ローズ様の香気あるいはダマセノンの香気との調和を妨げるためである。好ましくはα−体をまったく含まないサフラン酸エチルが軽快で洗練されたローズ様香気を有する。
【００３４】
β−体、γ−体にはそれぞれ香気の特徴があり、β−体は異性体中で最もローズ様、ダマセノン様の香気が強く、艶のあるローズ様香気を有し、γ−体は強さには欠けるが丸みがあり、蜜を想起させる甘さがあり、洗練されたローズ様の香気を有する。香気に差はあるがともにローズ様、フローラル様あるいはダマセノン様の香気を増加させる効果を有する。したがって、β−体およびγ−体の含有率は目的とする香料素材、あるいは香料組成物の香気の種類等により選択すればよい。例えば、β−体の含有率を、７５質量％以上、好ましくは８５質量％以上、より好ましくは９５質量％以上とすることにより、ローズ様、ダマセノン様の香気が強く、艶のあるローズ様香気を付与することができる。また、γ−体の含有率を、７５質量％以上、好ましくは８５質量％以上、より好ましくは９５質量％以上とすることにより、丸みがあり、蜜を想起させる甘さを伴った、洗練されたローズ様の香気を付与することができる。
【００３５】
本発明のサフラン酸エチルを含有する香料素材は、そのまま香粧品、保健・衛生・医薬品に配合して香気を付与又は増強することができるが他の成分と混合して種々の香調を持つ香料組成物を調製し、該香料組成物を用いて飲食品、香粧品、保健・衛生・医薬品に香気を付与又は増強することもできる。該香料組成物と共に含有しうる他の香料成分としては、各種の合成香料、天然香料、天然精油、植物エキスなどを挙げることができる。例えば、「特許庁、周知慣用技術集（香料）第ＩＩＩ部香粧品香料、Ｐ２６−１０３、平成１３年６月１５日発行」に記載されている天然精油、天然香料、合成香料を挙げることができる。
【００３６】
種々の香調として、例えば、ローズ様、フローラルブーケ様、蘭様、ミュゲ様、ジャスミン様、シトラス様、フルーティー様、グリーン様、アルデヒド様、スパイシー様、ウッディー様、スイート様、モス様、ムスク様、アンバー様、アニマル様、ハーバル様、マリン様、ミント様などの香調を挙げることができるが、これらに限定されるものではない。ただし、ローズ様、フローラル様の香調に用いる場合にその香気をもっとも効果的に強調することができる。
【００３７】
本発明のサフラン酸エチルの配合量は、特に限定はなく、目的とする香料組成物の香気の種類や強さによって異なるが、例えば、香料組成物の全体重量に対して０．１〜２０質量％の範囲、好ましくは０．２〜１５重量％の範囲を例示することができる。これらの範囲内で添加することにより、香料組成物に対し天然のローズ感、フレッシュでナチュラルなフローラル感などを付与することができる。
【００３８】
本発明のサフラン酸エチルを含有する香料組成物には、必要に応じて、香料組成物において通常使用されている、例えば、水、エタノールなどの溶剤；エチレングリコール、プロピレングリコール、ジプロピレングリコール、グリセリン、ヘキシルグリコール、ベンジルベンゾエート、トリエチルシトレート、ジエチルフタレート、ハーコリン、中鎖脂肪酸トリグリセライド、中鎖脂肪酸ジグリセリド等の香料保留剤を含有することができる。
【００３９】
本発明のサフラン酸エチルを含有する香料素材は、上記したようにそれ自身単独で、または、サフラン酸エチルを含有させた香料組成物を調製して、各種の製品、例えば、香粧品、保健・衛生・医薬品に添加することにより、ローズ感、フローラル感などを付与又は増強することができる。
【００４０】
本発明のサフラン酸エチルを含有する香料素材又は香料組成物によって香気を付与することのできる香粧品、保健・衛生・医薬品の具体例としては何ら限定されるものではなく、例えば、フレグランス製品、基礎化粧品、仕上げ化粧品、頭髪化粧品、日焼け化粧品、薬用化粧品、ヘアケア製品、石鹸、身体洗剤、浴用剤、洗剤、柔軟仕上げ剤、漂白剤、エアゾール剤、消臭・芳香剤、忌避剤、口腔用組成物、皮膚外用剤などを挙げることができる。
【００４１】
また、本発明のサフラン酸エチルの香粧品などへの配合量は、その目的あるいは香粧品の種類によっても異なるが、前記のサフラン酸エチルを含有する香料素材又は香料組成物を有効量添加することによりローズ感、フローラル感などを付与、増強することができる。その際の香粧品などへのサフラン酸エチルの添加量は、製品の種類や形態に応じて異なり一概に言えないが、例えば、香粧品の全体重量に対して０．０００１〜０．０２質量％、好ましくは０．０００２〜０．０１５質量％の範囲を例示することができる。  
以下、本発明を実施例および比較例によりさらに具体的に説明する。
【実施例】
【００４２】
［実施例１］エチル ２，６，６−トリメチルシクロヘキサ−２，４−ジエン−１−カルボキシレート（α−体）の調製
特公昭５７−２８６８４記載の合成法に従って調製した、α−体、２３質量％、β−体、５３質量％、γ−体、２４質量％含有するサフラン酸エチルおよびこれを蒸留することにより精製し、α−体９８．５％（β−体、１．１質量％、γ−体、０．４質量％）の留分を得た（比較品１）。本品の純度確認はガスクロマトグラフィ等を用いて行うことができる。また構造についてはＮＭＲスペクトルを特開昭４８−８５５５７のデータと比較することにより確認した。  
図１に比較品１のガスクロマトグラムを示した。またその、プロトンＮＭＲ、カーボンＮＭＲを図２及び図３に示した。
【００４３】
［実施例２］エチル ２，６，６−トリメチルシクロヘキサ−１，３−ジエン−１−カルボキシレート（β−体）の調製
特公昭５７−２８６８４記載の合成法に従って調製した、α−体、２３質量％、β−体、５３質量％、γ−体、２４質量％含有するサフラン酸エチルおよびこれを蒸留することにより精製し、β−体９９．５％（α−体、０質量％、γ−体、０．５質量％）の留分を得た（本発明品１）。本品の純度確認はガスクロマトグラフィ等を用いて行うことができる。また構造についてはＮＭＲスペクトルを特開昭４８−８５５５７のデータと比較することにより確認した。  
図４に本発明品１のガスクロマトグラムを示した。またその、プロトンＮＭＲ、カーボンＮＭＲを図５及び図６に示した。
【００４４】
［実施例３］エチル ６，６−ジメチル−２−メチレンシクロヘク−３−エン−１−カルボキシレート（γ−体）の調製
特公昭５７−２８６８４記載の合成法に従って調製した、α−体、２３質量％、β−体、５３質量％、γ−体、２４質量％含有するサフラン酸エチルおよびこれを蒸留することにより精製し、γ−体９９．４％（α−体、０質量％、β−体、０．６質量％）の留分を得た（本発明品２）。本品の純度確認はガスクロマトグラフィ等を用いて行うことができる。また構造についてはＮＭＲスペクトルを特開昭４８−８５５５７のデータと比較することにより確認した。  
図７に本発明品２のガスクロマトグラムを示した。またその、プロトンＮＭＲ、カーボンＮＭＲを図８及び図９に示した。
【００４５】
官能評価
実施例１、２および３で得られた比較品１、本発明品１および２を表１に示す含有率で混合し、香料素材を調製した（本発明品１〜１０および比較品１〜４）。  
次に、良く訓練された専門パネラー１０名により、官能評価を行った。香料素材のローズ感を０〜１０の数値として表した。また、各香料素材を等量のダマセノンと混合し、ダマセノンとの香気のマッチング（相性）の程度を０〜１０の数値として表した。この２つの数値を合計し、評点とするとともに、それぞれの香気の特徴を表１にまとめた。
【００４６】
【表１】
2010209185.tif 000005
【００４７】
表１の結果から明らかなように、本発明品１〜１０の香料素材は艶のある、または、洗練されたローズ様香気、あるいはダマセノン様香気を有していた。特に、β−体含有率が９９．５％である本発明品１は最もローズ様、ダマセノン様の香気が強く、艶のあるローズ様香気を有しており、良好であるとの評価であった。また、γ−体含有率が９９．４％である本発明品２は強さには欠けるが丸みがあり、蜜を想起させる甘さがあり、洗練されたローズ様香気を有するとの評価であった。
【００４８】
一方、α−体含有率が９８．５％である比較品１は枯れ草的なハーバル感が強すぎ、甘さがなく、ローズ様香気とは明らかに異質の香気であることが確認された。したがって、α−体を２５〜１０％含有する比較品２〜４もハーバル感が強く、ローズ様香気があるが香気の透明性に欠けるという評価であった。
【００４９】
また、ローズ感、ダマセノンとの香気のマッチングおよび評点の結果でも本発明品１〜１０は比較品１〜４の数値を大きく上回り、ローズ感が強く、ダマセノンとの香気のマッチングが良いことも確認された。
【００５０】
［実施例４］
ローズタイプの調合香料組成物に対する添加効果
表２のローズ様調合香料処方の調合品９７０ｇに本発明品１〜７および比較品２を各３０ｇ混合して新規なローズ調合香料組成物を調製した。また、同様に表２のローズ様調合香料処方の調合品９８０ｇに本発明品１〜７を各２０ｇ混合して新規なローズ調合香料組成物も調製した。良く訓練された専門パネラー１０名により、官能評価を行った。その結果を表３に示す。
【００５１】
【表２】
2010209185.tif 000006
【００５２】
【表３】
2010209185.tif 000007
【００５３】
表３の結果から明らかなように、比較品２を３０ｇ添加した香料組成物はハーバル感があり、甘さが弱く、ローズ様香気の賦与が弱かった。これに対し、本発明品１〜７を３０ｇ添加した場合には、天然ローズの濃厚、あるいは洗練されたイメージの賦与効果が高かった。また、本発明品１〜７添加量を２０ｇと少なくした場合でも、比較品２に比べると天然ローズ感は強いとの評価であった。
【００５４】
［実施例５］
フローラルブーケタイプ調合香料組成物への添加効果 
表４のフローラルブーケタイプ調合香料処方ＡおよびＢの調合品９７０ｇに本発明品１〜７および比較品２を各３０ｇ混合して新規なフローラルブーケタイプ調合香料組成物を調製し、良く訓練された専門パネラー１０名により、官能評価を行った。その結果を表５に示す。
【００５５】
【表４】
2010209185.tif 000008
【００５６】
【表５】
2010209185.tif 000009
【００５７】
処方Ａのフローラルブーケタイプ調合香料組成物についての官能評価は、表５の結果から明らかなように、比較品２を処方Ａに添加した香料組成物はフローラル感はあるが、ハーバル感が強く、甘さが弱く、ローズ様香気の賦与が弱かった。これに対し、本発明品１〜７を添加した場合には、フレッシュでナチュラル感に富んだフローラル香があり、良好であった。特に本発明品１、３および４はフローラル香が強く、優れていた。
【００５８】
処方Ｂは処方Ａに比べ、ダマセノンの添加により、フローラル感が強調されているが、パネル１０名全員がダマセノンと本発明品１〜７の併用は、より一層フローラル感を強調させる効果があると判定した。
【図１】
2010209185.tif 000010
【図２】
2010209185.tif 000011
【図３】
2010209185.tif 000012
【図４】
2010209185.tif 000013
【図５】
2010209185.tif 000014
【図６】
2010209185.tif 000015
【図７】
2010209185.tif 000016
【図８】
2010209185.tif 000017
【図９】
2010209185.tif 000018